(57)【特許請求の範囲】
【請求項１】
既設の母屋に既設の屋根材が既設の締め付け具により取り付けられてなる既設屋根に新設屋根を葺く際に、前記既設屋根に新設の屋根材の取付金具を装着する装置であって、
駆動源と、
前記既設の屋根材上に載置される固定部材と、
前記固定部材に直線往復スライド可能に取り付けられ、前記駆動源の駆動によりスライドして、前記既設の屋根材側と前記既設の締め付け具側との間に形成された隙間に先端が仮セットされた前記新設の取付金具を前記隙間側に押し込んで、前記新設の取付金具を前記既設の屋根材側と前記既設の締め付け具側との間に本装着するスライド部材と、
を備えたことを特徴とする新設の屋根材の取付金具装着装置。
【請求項２】
前記固定部材には、前記既設の締め付け具を押さえる押さえ部が設けられている、ことを特徴とする請求項１に記載の新設の屋根材の取付金具装着装置。
【請求項３】
前記新設の取付金具の先端は、鋭角をなし、前記新設の取付金具は、前記既設の屋根材側の座金と前記既設の締め付け具側のナットとの間に本装着される、ことを特徴とする請求項１または２に記載の新設の屋根材の取付金具装着装置。
【請求項４】
前記請求項１〜３のいずれか１に記載の新設の屋根材の取付金具装着装置を使用した新設屋根の施工方法であって、
工具により、前記既設の屋根材側と前記既設の締め付け具側との間に隙間を形成する第１工程と、
前記第１工程で形成された隙間に前記新設の取付金具の先端を仮セットする第２工程と、
前記既設の屋根材上に前記固定部材を載置する第３工程と、
前記駆動源を駆動させて前記スライド部材を前記固定部材に対してスライドさせ、前記スライド部材により前記新設の取付金具を前記隙間側に押し込んで前記既設の屋根材側と前記既設の締め付け具側との間に本装着する第４工程と、
前記第４工程で本装着された前記新設の取付金具に新設の屋根材を取り付ける第５工程と、
からなることを特徴とする取付金具装着装置を使用した新設屋根の施工方法。
【請求項５】
前記第４工程において、前記固定部材の押さえ部が前記既設の締め付け具を押さえる、ことを特徴とする請求項４に記載の取付金具装着装置を使用した新設屋根の施工方法。
【請求項６】
前記第１工程において、前記隙間は、前記既設の屋根材側の座金と前記既設の締め付け具側のナットとの間に形成され、
前記第４工程において、先端が鋭角をなす前記新設の取付金具は、前記既設の屋根材側の座金と前記既設の締め付け具側のナットとの間に本装着される、
ことを特徴とする請求項４または５に記載の取付金具装着装置を使用した新設屋根の施工方法。
【発明の詳細な説明】
【０００１】
【発明の属する技術分野】
この発明は、既設屋根に新設屋根を葺く際に、その既設屋根に新設の屋根材の取付金具を装着する装置、および、その取付金具装着装置を使用した新設屋根の施工方法にかかるものである。
【０００２】
特に、この発明は、新設の取付金具を叩いたり打ち込んだりせずに既設屋根に簡単にかつ確実に装着することができ、しかも、新設屋根の施工中の塵埃の発生を最小限に抑えることができる取付金具装着装置、および、その取付金具装着装置を使用した新設屋根の施工方法に関するものである。
【０００３】
【従来の技術】
既設のスレート葺き屋根などの既設屋根に穴あけなどの加工を行わずに、既設屋根に新設の屋根材の取付金具を装着して新設屋根を葺く新設屋根の施工方法は、現在広く使われている。この新設屋根の施工方法は、穴あけなどの加工を行わないので、穴あけなどの加工に伴なうくずやごみやちりなどの発生がなく、この点において優れている。この種の新設屋根の施工方法としては、たとえば、この出願人が先に出願した特願２００１−１８４８１２号や特許第２９０７４２２号などがある。
【０００４】
以下、特許第２９０７４２２号の新設屋根の施工方法について説明する。まず、新設の取付金具であるクランプ金具（６）、（６Ａ）をハンマーなどの工具で打ち込んで既設のスレート板屋根材（２）の山部（２１）上面と既設のフックボルト（４）のナット（５）、座金（８１）との間に差し込む。それと同時に、このクランプ金具（６）、（６Ａ）の切欠き（６４）を既設のフックボルト（４）に嵌合する。そして、クランプ金具（６）、（６Ａ）を既設のスレート板屋根材（２）の山部（２１）に固定する。つぎに、固定されたクランプ金具（６）、（６Ａ）に新設の金属板屋根材（３）の山部（３１）をネジ締め固定する。これにより、既設のスレート葺き屋根などの既設屋根に穴あけなどの加工を行わずに、既設屋根に新設の屋根材の取付金具を装着して新設屋根を葺くことができる。
【０００５】
【発明が解決しようとする課題】
ところが、既設屋根は、長年、風雨に晒されているので、既設のフックボルト（４）、ナット（５）、座金（８１）など締め付け具は、錆び付いている。このために、前記の新設屋根の施工方法は、クランプ金具（６）、（６Ａ）を既設のスレート板屋根材（２）の山部（２１）上面と既設のフックボルト（４）のナット（５）、座金（８１）との間に差し込む際に、クランプ金具（６）、（６Ａ）をハンマーなどの工具により打ち込む必要がある。
【０００６】
この結果、前記の新設屋根の施工方法においては、クランプ金具（６）、（６Ａ）をハンマーなどの工具で打ち込む時の振動などにより、既設屋根から塵埃が発生して屋内に落ちることがある。このために、前記の新設屋根の施工方法は、穴あけなどの加工に伴なうくずやごみやちりなどの発生のない効果が薄れる虞がある。
【０００７】
この発明は、新設の取付金具を叩いたり打ち込んだりせずに既設屋根に簡単にかつ確実に装着することができ、しかも、新設屋根の施工中の塵埃の発生を最小限に抑えることができる取付金具装着装置、および、その取付金具装着装置を使用した新設屋根の施工方法を提供することを目的とする。
【０００８】
【課題を解決するための手段】
上記の目的を達成するために、請求項１にかかる発明は、駆動源と、既設の屋根材上に載置される固定部材と、前記固定部材に直線往復スライド可能に取り付けられ、前記駆動源の駆動によりスライドして、前記既設の屋根材側と既設の締め付け具側との間に形成された隙間に先端が仮セットされた新設の取付金具を前記隙間側に押し込んで、前記新設の取付金具を前記既設の屋根材側と前記既設の締め付け具側との間に本装着するスライド部材と、を備えたことを特徴とする。
【０００９】
この結果、請求項１にかかる発明は、駆動源を駆動させることにより、スライド部材がスライドして、新設の取付金具が隙間側に押し込まれて既設の屋根材側と既設の締め付け具側との間に本装着される。このように、請求項１にかかる発明は、駆動源の駆動力をスライド部材の押し込み力に変換して、新設の取付金具を既設屋根に装着するものであるから、新設の取付金具を叩いたり打ち込んだりせずに既設屋根に簡単にかつ確実に装着することができる。しかも、請求項１にかかる発明は、新設の取付金具を叩いたり打ち込んだりしないので、新設屋根の施工中の塵埃の発生を最小限に抑えることができる。
【００１０】
また、請求項２にかかる発明は、既設の締め付け具を押さえる押さえ部を固定部材に設けた、ことを特徴とする。
【００１１】
この結果、請求項２にかかる発明は、スライド部材で新設の取付金具を既設の屋根材側と既設の締め付け具側との間の隙間側に押し込む際に、既設の締め付け具が固定部材の押さえ部により押さえられている。このために、請求項２にかかる発明は、新設の取付金具を既設の屋根材側と既設の締め付け具側との間にさらに簡単にかつ確実に押し込んで装着することができる。
【００１２】
また、請求項３にかかる発明は、新設の取付金具の先端が鋭角をなし、その新設の取付金具が既設の屋根材側の座金と既設の締め付け具側のナットとの間に本装着される、ことを特徴とする。
【００１３】
この結果、請求項３にかかる発明は、新設の取付金具の先端が鋭角をなすので、新設の取付金具の先端を既設の屋根材側と既設の締め付け具側のナットとの間の隙間に簡単に仮セットすることができ、かつ、新設の取付金具を既設の屋根材側と既設の締め付け具側のナットとの間に簡単に押し込むことができる。また、請求項３にかかる発明は、新設の取付金具が既設の屋根材側の座金と既設の締め付け具側のナットとの間に本装着されるので、既設の座金と既設の屋根材との間の既設のパッキンを破損することがない。これにより、請求項３にかかる発明は、新設屋根の施工中、既設屋根から屋内への雨漏りの心配はない。
【００１４】
また、請求項４にかかる発明は、工具により、既設の屋根材側と既設の締め付け具側との間に隙間を形成する第１工程と、前記第１工程で形成された隙間に新設の取付金具の先端を仮セットする第２工程と、前記既設の屋根材上に固定部材を載置する第３工程と、駆動源を駆動させてスライド部材を前記固定部材に対してスライドさせ、前記スライド部材により前記新設の取付金具を前記隙間側に押し込んで前記既設の屋根材側と前記既設の締め付け具側との間に本装着する第４工程と、前記第４工程で本装着された前記新設の取付金具に新設の屋根材を取り付ける第５工程と、からなることを特徴とする。
【００１５】
この結果、請求項４にかかる発明は、前記請求項１にかかる発明と同様に、駆動源の駆動力をスライド部材の押し込み力に変換して、新設の取付金具を既設屋根に装着するものであるから、新設の取付金具を叩いたり打ち込んだりせずに既設屋根に簡単にかつ確実に装着することができる。しかも、請求項４にかかる発明は、新設の取付金具を叩いたり打ち込んだりしないので、新設屋根の施工中の塵埃の発生を最小限に抑えることができる。
【００１６】
また、請求項５にかかる発明は、第４工程において、固定部材の押さえ部が既設の締め付け具を押さえる、ことを特徴とする。
【００１７】
この結果、請求項５にかかる発明は、前記請求項２にかかる発明と同様に、新設の取付金具を既設の屋根材側と既設の締め付け具側との間の隙間側に押し込む際に、既設の締め付け具が固定部材の押さえ部により押さえられている。このために、請求項５にかかる発明は、新設の取付金具を既設の屋根材側と既設の締め付け具側との間にさらに簡単にかつ確実に押し込んで装着することができる。
【００１８】
また、請求項６にかかる発明は、第１工程において、隙間が既設の屋根材側の座金と既設の締め付け具側のナットとの間に形成され、第４工程において、先端が鋭角をなす新設の取付金具が既設の屋根材側の座金と既設の締め付け具側のナットとの間に本装着される、ことを特徴とする。
【００１９】
この結果、請求項６にかかる発明は、前記請求項３にかかる発明と同様に、新設の取付金具の先端が鋭角をなすので、新設の取付金具の先端を既設の屋根材側と既設の締め付け具側のナットとの間の隙間に簡単に仮セットすることができ、かつ、新設の取付金具を既設の屋根材側と既設の締め付け具側のナットとの間に簡単に押し込むことができる。また、請求項６にかかる発明は、新設の取付金具が既設の屋根材側の座金と既設の締め付け具側のナットとの間に本装着されるので、既設の座金と既設の屋根材との間の既設のパッキンを破損することがない。これにより、請求項６にかかる発明は、新設屋根の施工中、既設屋根から屋内への雨漏りの心配はない。
【００２０】
【発明の実施の形態】
以下、この発明にかかる新設の屋根材の取付金具装着装置およびこの装置を使用した新設屋根の施工方法の実施形態の１例を添付図面を参照して説明する。なお、この実施形態によりこの発明が限定されるものではない。
【００２１】
（実施の形態の構成の説明）
この実施の形態における既設屋根は、既設のスレート葺き屋根１である。この既設のスレート葺き屋根１は、図９〜図１２に示すように、既設の母屋（いわゆる、Ｃ型鋼）２と、前記既設の母屋２に既設のフックボルト３およびナット４および座金（いわゆる、亀座）５およびパッキン材６により取り付けられた既設のスレート板屋根材７とから構成されている。
【００２２】
前記既設のスレート板屋根材７は、図９および図１０に示すように、働き６山の大波のスレートである。すなわち、このスレート板屋根材７は、７．５山（７つ半の山）の全幅に対して、６山の働き幅を有する。また、このスレート板屋根材７においては、１山が１ピッチで、３ピッチごとにフックボルト３などにより母屋２に取り付けられている。なお、スレート板屋根材７において、フックボルト３などにより取り付けるピッチや箇所などは、この例に限定されない。
【００２３】
前記既設のスレート板屋根材７において、図９および図１０に示すように、フックボルト３などが取り付けられている箇所のうち、重なり部近傍の山部上面の高さは、通常部の山部上面の高さ（山の高さ、谷の深さ）よりも若干高い。たとえば、全幅が９６０ｍｍ、働き幅が７８０ｍｍ、１ピッチが１３０ｍｍ、通常部の山部上面の高さ（山の高さ、谷の深さ）が３８ｍｍ、板厚が６．３ｍｍの大波スレートの場合、重なり部近傍の山部上面の高さは、通常部の山部上面の高さよりも約４〜７ｍｍ高い。また、重なり部の山部上面の最高の高さは、通常部の山部上面の高さよりも約８〜１０ｍｍ高い。
【００２４】
図９および図１０において、８および９は、新設の第１取付金具および第２取付金具である。この第１取付金具８および第２取付金具９は、前記既設スレート葺き屋根１に新設屋根を葺くための新設の取付金具である。この第１取付金具８および第２取付金具９は、たとえば、亜鉛板を折り曲げ加工してなる。
【００２５】
以下、第２取付金具９について図１３を参照して説明する。なお、第１取付金具８は、この第２取付金具９とほぼ同様の構造をなすので、第１取付金具８の説明は、省略する。
【００２６】
第２取付金具９は、図１３に示すように、側面から見てコの字形状に折り曲げられてなる。すなわち、この第２取付金具９は、下側の第１取付板部１１と、上側の第２取付板部１３と、前記第１取付板部１１と前記第２取付板部１３との間に設けられた中側の縦板部１５とから構成されている。第１取付板部１１は、正面から見て既設のスレート板屋根材７の山部に倣って湾曲している。
【００２７】
なお、第１取付金具８の第１取付板部の中央部は、第２取付金具９の第１取付板部１１とほぼ同様に、正面から見て既設のスレート板屋根材７の山部に倣って湾曲していると共に、第１取付金具８の第１取付板部の両側は、水平形状をなす。これにより、第１取付金具８と第２取付金具９とが区別でき、第１取付金具８と第２取付金具９との取り違いを防止することができる。
【００２８】
また、第１取付板部１１の先端は、鋭角形状をなす。さらに、この第１取付板部１１には、嵌合長溝１７が鋭角先端から途中までそれぞれ設けられている。この嵌合長溝１７の幅は、既設のフックボルト３の外径よりも若干大きい。これにより、既設のスレート葺き屋根１に対して、新設の屋根が熱膨張によって伸縮することができるものである。
【００２９】
前記第１取付金具８は、既設のスレート板屋根材７の重なり部近傍の山部上面側の既設の座金５と締め付け具側のナット４との間に差し込んで取り付けられるものである。また、前記第２取付金具９は、既設のスレート板屋根材７の通常部の山部上面側の既設の座金５と締め付け具側のナット４の間に差し込んで取り付けられるものである。
【００３０】
前記第１取付金具８の縦板部の高さは、前記第２取付金具９の縦板部１５の高さＨよりも、既設のスレート板屋根材７の重なり部近傍の山部上面の高さから通常部の山部上面の高さを差し引いた分低い。なお、縦板部１５の高さＨは、この例では、第１取付板部１１の中央上面から第２取付板部１３の上面までの高さを言う。
【００３１】
図９〜図１２において、１８は新設の母屋である。この新設の母屋１８は、いわゆる、Ｃ型鋼である。この新設の母屋１８は、新設の取付金具８、９を覆う大きさを有する。
【００３２】
図９、図１０、図１２において、１９は新設の折板屋根材である。この新設の折板屋根材１９は、たとえば、亜鉛版からなる。この新設の折板屋根材１９は、図１０に示すように、水平底板部２０と、その水平底板部２０の両側から斜め上方に折り曲げられてなる傾斜側板部２１と、その左右の側板部２１の間において湾曲されてなる山板部２２とからなる。
【００３３】
新設の折板屋根材１９の山板部２２の間のピッチは、既設のスレート板屋根材７のピッチとほぼ等しい。また、新設の折板屋根材１９の山板部２２は、既設のスレート板屋根材７の働き幅とほぼ等しい６山から構成されている。さらに、新設の折板屋根材１９の左端の山板部２２の右側には、段部が設けられている。この新設の折板屋根材１９は、一の折板屋根材１９の左端の山板部２２に他の折板屋根材１９の右端の山板部２２を被せるものである。
【００３４】
図４〜図８において、２６はこの実施の形態にかかる新設の屋根材の取付金具装着装置である。この取付金具装着装置２６は、２枚の固定板２７、２８を備える。前記２枚の固定板２７、２８は、長方形の板形状をなす。一方（正面側）の固定板２７は、側面から見てＩ字形状をなし、他方（背面側）の固定板２８は、側面から見てＬ字形状をなす。
【００３５】
他方の固定板２８の下端から水平板部２９が一方の固定板２７側に折り曲げられて形成されている。この水平板部２９の縁の中央部には、半円形の切欠３０が設けられている。この切欠３０は、既設のナット４が嵌合し得る形状および大きさをなす。そして、この切欠３０の周辺部は、既設のナット４を押さえる押さえ部を構成するものである。なお、この切欠３０は、半円形以外、たとえば、既設のナット４が嵌合する半六角形や半四角形や単なる四角形などであっても良い。すなわち、この切欠３０は、既設のナット４が嵌合し得る形状および大きさをなすものであれば良い。
【００３６】
前記２枚の固定板２７、２８の対向面の４角部には、円柱形状をなす４本連結棒３１の両端が溶接などによりそれぞれ固定されている。
【００３７】
前記２枚の固定板２７、２８の外側面の下端部には、２枚の脚板３２、３２の上端がそれぞれ溶接などにより固定されている。前記２枚の脚板３２、３２は、長方形の板形状をなす。この２枚の脚板３２、３２の下端部には、既設のスレート板屋根材７の１山およびその両側の２谷にかけて嵌合する切欠３３、３３がそれぞれ設けられている。
【００３８】
前記２枚の固定板２７、２８および水平板部２９および４本の連結棒３１および２枚の脚板３２、３２により、固定部材が構成されている。なお、固定板２７、２８と脚板３２、３２とは、この例では、それぞれ別個の板からなるが、一体の板から構成されたものでも良い。
【００３９】
前記４本の連結棒３１のうち、下側の２本の平行な連結棒３１には、スライド板３４の両端が直線往復スライド可能に取り付けられている。このスライド板３４は、左右に細長い長方形の板形状をなす。このスライド板３４の両端部には、円形の透孔３５、３５がそれぞれ設けられている。
【００４０】
また、このスライド板３４の両端部には、ガイド筒３６、３６がそれぞれ溶接などにより固定されている。このガイド筒３６、３６は、円筒形状をなす。このガイド筒３６、３６の透孔と前記スライド板３４の透孔３５、３５とは、それぞれ連通している。このスライド板３４の透孔３５、３５とガイド筒３６、３６の透孔中には、前記２本の連結棒３１が貫通している。これにより、スライド板３４は、２本の連結棒３１とガイド筒３６、３６とにより、前記固定部材に対して、平行度を保ちながら直線往復スライド可能となる。このスライド板３４とガイド筒３６、３６とがスライド部材を構成する。
【００４１】
前記スライド板３４の前記一方の固定板２７と対向する面の中央には、球受け部３７が溶接などにより固定されている。この球受け部３７中には、球凹部が設けられている。前記一方の固定板２７の中央には、ネジ受け部３８が溶接などにより固定されている。このネジ受け部３８中には、ネジ孔が設けられている。
【００４２】
前記ネジ受け部３８のネジ孔中には、スクリュー３９がネジ込まれている。このスクリュー３９の一端には、球部４０が一体の設けられている。この球４０は、前記球受け部３７の球凹部中に回転可能にかつ軸方向に移動不可能に取り付けられている。また、スクリュー３９の他端には、六角頭部４１が一体に設けられている。
【００４３】
図１〜図３において、４２は、この実施の形態の新設屋根を施工する際に使用する挟み込み用の工具、いわゆる、タイルニッパーである。この工具４２は、一対の部材の一端部がピンにより開閉可能に取り付けられてなるものである。この工具４２は、てこ式であって、他端部側の柄の部分（力点）を開閉することにより、ピン（支点）を介して、一端側の刃の部分（作用点）が開閉するものである。
【００４４】
（実施の形態の作用の説明）
この実施の形態にかかる新設の屋根材の取付金具装着装置およびこの装置を使用した新設屋根の施工方法は、以上のごとき構成からなり、以下、その施工作業について説明する。
【００４５】
まず、工具４２の刃を開き、工具４２の刃先を既設の締め付け具側であるナット４と既設の屋根材側である座金５との間に位置させる（図１参照）。
【００４６】
つぎに、図２中の実線矢印に示すように、工具４２の柄を閉じる。すると、工具４２の刃先が閉じてナット４と座金５との間に食い込む。このとき、既設のパッキン材６が撓んで圧縮すると共に、既設のスレート板屋根材７が図２中の実線矢印方向に押し込まれる。この結果、ナット４と座金５との間には、隙間Ｃが形成される。なお、ナット４は、既設のフックボルト３を介して既設の母屋２に固定されているので、工具４２の刃が食い込まれた際には移動せず、座金５側が下方に押し込まれる（図２参照）。
【００４７】
前記工程で形成されたナット４と座金５との間の隙間Ｃに新設の取付金具８、９の鋭角先端を仮セットすると共に、新設の取付金具８、９の嵌合長溝１７をフックボルト３に対向させる。このとき、工具４２の刃先は、ナット４の半部程度にかかっているので、新設の取付金具８、９の鋭角先端は、ナット４と座金５との間の隙間Ｃにセットされる。なお、前記隙間Ｃは、約３〜４ｍｍである（図３参照）。
【００４８】
前記工程において、ナット４と座金５との隙間Ｃへの取付金具８、９の仮セットが完了した時点で、工具４２の刃先を開いてナット４と座金５との間から外す。すると、パッキン材６およびスレート板屋根材７は、そのスプリングバックにより、直ぐに元の状態に戻るので、取付金具８、９の鋭角先端は、ナット４と座金５との間には挟み込まれる。
【００４９】
前記状態において、脚板３２、３２の切欠３３、３３をスレート板屋根材７の山部および谷部に合わせて、取付金具装着装置２６を既設スレート葺き屋根１上に載置する。ついで、他方の固定板２８の水平板部２９の切欠３０をナット４に嵌合する。一方、スクリュー３９を回転させてスライド板３４を新設の取付金具８、９の縦板部１５に当接させる（図４、図５、図８を参照）。
【００５０】
それから、スクリュー３９の六角頭部４１に駆動源としての電気スクリュードライバー（図示せず）をセットする。この電気スクリュードライバーを駆動させる。すると、電気スクリュードライバーの回転力が六角頭部４１を介してスクリュー３９に伝達される。このスクリュー３９は、ネジ受け部３８のネジ送り作用により、回転しながら図４および図５中の実線矢印方向に進む。
【００５１】
この結果、スクリュー３９の前進に伴なって、スライド板３４は、２本の連結棒３１と２個のガイド筒３６、３６とにガイドされながら、固定部材に対してスライドする。このスライド板３４のスライドにより、新設の取付金具８、９は、水上から水下方向（図１２中の矢印Ａ方向）に前記隙間Ｃに押し込まれて、ナット４と座金５との間において本装着される。新設の取付金具８、９の嵌合長溝１７がフックボルト３に嵌合するので、新設の取付金具８、９は、既設スレート葺き屋根１に対して、嵌合長溝１７の長手方向にスライド可能となる（図６、図７参照）。
【００５２】
このとき、脚板３２、３２の切欠３３、３３がスレート板屋根材７の形状に合わせてあるので、新設の取付金具８、９の押し込み作業を確実にかつ安定した状態で行うことができる。
【００５３】
また、スライド板３４は、２本の連結棒３１と２個のガイド筒３６、３６のガイド作用により、新設の取付金具８、９を確実にかつ均一に押し込むことができる。
【００５４】
そして、ナット４と座金５との間に本装着された新設の取付金具８、９に新設の母屋１８を載置する。この新設の取付金具８、９と新設の母屋１８とを第１タッピンネジ（セルフタッピングスクリュー）２３により固定する。つづいて、新設の母屋１８に新設の折板屋根材１９を載置する。この新設の母屋１８および新設の取付金具８、９と新設の折板屋根材１９とを第２タッピンネジ（セルフタッピングスクリュー）２４により固定する。以下、同様にして、既設のスレート葺き屋根１に新設の屋根が葺かれることとなる（図９〜図１２参照）。
【００５５】
（実施の形態の効果の説明）
この実施の形態にかかる新設の屋根材の取付金具装着装置およびこの装置を使用した新設屋根の施工方法（以下、この実施の形態の装置および方法と称する）は、以上のごとき構成からなり、以下の効果を達成することができる。
【００５６】
すなわち、この実施の形態の装置および方法は、電気スクリュードライバーの駆動力をスライド板３４の押し込み力に変換して、新設の取付金具８、９を既設スレート葺き屋根１に装着するものであるから、新設の取付金具８、９を叩いたり打ち込んだりせずに既設スレート葺き屋根１に簡単にかつ確実に装着することができる。しかも、この実施の形態の装置および方法は、新設の取付金具８、９を叩いたり打ち込んだりしないので、新設屋根の施工中の塵埃の発生を最小限に抑えることができる。
【００５７】
また、この実施の形態の装置および方法は、スライド板３４で新設の取付金具８、９をナット４と座金５との間の隙間Ｃ側に押し込む際に、ナット４が他の固定板２８の水平板部２９に切欠３０を介して押さえられている。このために、この実施の形態の装置および方法は、新設の取付金具８、９をナット４と座金５との間にさらに簡単にかつ確実に押し込んで装着することができる。
【００５８】
また、この実施の形態の装置および方法は、新設の取付金具８、９の先端が鋭角をなすので、新設の取付金具８、９の先端をナット４と座金５との間の隙間Ｃに簡単に仮セットすることができ、かつ、新設の取付金具８、９をナット４と座金５との間に簡単に押し込むことができる。また、この実施の形態の装置および方法は、新設の取付金具８、９がナット４と座金５との間に本装着されるので、座金５とスレート板屋根材７との間のパッキン６を破損することがない。これにより、この実施の形態の装置および方法は、新設屋根の施工中、既設スレート葺き屋根１から屋内への雨漏りの心配はない。
【００５９】
（新設の取付金具の変形例の説明）
図１４〜図１６は、新設の取付金具の変形例を示す。この変形例における新設の取付金具４３は、たとえば、亜鉛板を折り曲げ加工してなる。この新設の取付金具４３は、図１５に示すように、既設のスレート板屋根材７の山部の形状とに合致させた谷部と、新設の折板屋根材１９の山部に合致させた山部と、垂直板部とから構成されている。谷部には、嵌合長溝４４が設けられている。この嵌合長溝４４の両先端には、面取り部４５がそれぞれ設けられている。この結果、この新設の取付金具４３の先端は、鋭角となる。
【００６０】
この新設の取付金具４３は、図１６に示す台形の水平板部４６を備える取付金具装着装置２６により、既設の座金５と既設のスレート板屋根材７との間に押し込まれるものである（図１４参照）。この新設の取付金具４３の場合は、座金５とスレート板屋根材７との間のパッキン材６が破損する場合がある。この新設の取付金具４３は、新設の母屋１８を使用せずに、新設の折板屋根材１９を直接取り付けるものである（図１４参照）。この新設の取付金具４３は、前記の新設の取付金具８、９とほぼ同様の作用効果を達成することができる。
【００６１】
（取付金具装着装置の水平板部の変形例の説明）
図１７は、取付金具装着装置２６の水平板部４７の変形例を示す。この変形例における水平板部４７は、底辺が幅広の台形をなすものである。この水平板部４７は、前記の水平板部２９、４６とほぼ同様の作用効果を達成することができる。
【００６２】
（実施の形態の他の例の説明）
なお、この実施の形態においては、駆動源としては、電気スクリュードライバーを使用するものである。ところが、この発明は、その他の駆動源、たとえば、油圧ポンプ、エアーポンプ（コンプレッサ）、機械式てこなどであっても良い。この場合は、スライド板３４をスライドさせる球受け部３７、ネジ受け部３８、スクリュー３９は、各駆動源に適した駆動力伝達手段を使用する。
【００６３】
また、この発明においては、前記既設のスレート葺き屋根１以外の既設屋根、前記新設の折板屋根材１９以外の新設屋根、前記新設の取付金具８、９、４３、以外の新設の取付金具、前記施工方法以外の施工方法であっても良い。
【００６４】
【発明の効果】
以上から明らかなように、この発明にかかる新設の屋根材の取付金具装着装置およびこの装置を使用した新設屋根の施工方法（請求項１、４）によれば、駆動源の駆動力をスライド部材の押し込み力に変換して、新設の取付金具を既設屋根に装着するものであるから、新設の取付金具を叩いたり打ち込んだりせずに既設屋根に簡単にかつ確実に装着することができる。
【００６５】
また、この発明にかかる新設の屋根材の取付金具装着装置およびこの装置を使用した新設屋根の施工方法（請求項１、４）によれば、新設の取付金具を叩いたり打ち込んだりしないので、新設屋根の施工中の塵埃の発生を最小限に抑えることができる。
【００６６】
また、この発明にかかる新設の屋根材の取付金具装着装置およびこの装置を使用した新設屋根の施工方法（請求項２、５）によれば、スライド部材で新設の取付金具を既設の屋根材側と既設の締め付け具側との間の隙間側に押し込む際に、既設の締め付け具が固定部材の押さえ部により押さえられているので、新設の取付金具を既設の屋根材側と既設の締め付け具側との間にさらに簡単にかつ確実に押し込んで装着することができる。
【００６７】
また、この発明にかかる新設の屋根材の取付金具装着装置およびこの装置を使用した新設屋根の施工方法（請求項３、６）によれば、新設の取付金具の先端が鋭角をなすので、新設の取付金具の先端を既設の屋根材側と既設の締め付け具側のナットとの間の隙間に簡単に仮セットすることができ、かつ、新設の取付金具を既設の屋根材側と既設の締め付け具側のナットとの間に簡単に押し込むことができる。
【００６８】
また、この発明にかかる新設の屋根材の取付金具装着装置およびこの装置を使用した新設屋根の施工方法（請求項３、６）によれば、新設の取付金具が既設の屋根材側の座金と既設の締め付け具側のナットとの間に本装着されるので、既設の座金と既設の屋根材との間の既設のパッキンを破損することがない。これにより、この発明にかかる新設の屋根材の取付金具装着装置およびこの装置を使用した新設屋根の施工方法（請求項３、６）は、新設屋根の施工中、既設屋根から屋内への雨漏りの心配はない。
【図面の簡単な説明】
【図１】この発明の新設の屋根材の取付金具装着装置およびこの装置を使用した新設屋根の施工方法の実施の形態を示す説明図である。
【図２】同じく、工具の刃先がナットと座金との間に食い込んだ状態を示す説明図である。
【図３】図２におけるＩＩＩ−ＩＩＩ線拡大断面図である。
【図４】同じく、取付金具装着装置を既設スレート葺き屋根に載置した状態を示す説明図（図８におけるＡ−Ａ線断面図）である。
【図５】図４におけるＶ−Ｖ線断面図（図８におけるＢ−Ｂ線断面図）である。
【図６】新設の取付金具をナットと座金との間に押し込んだ状態を示す説明図（図８におけるＡ−Ａ線断面図）である。
【図７】図６におけるＶＩＩ−ＶＩＩ線断面図（図８におけるＢ−Ｂ線断面図）である。
【図８】図４におけるＶＩＩＩ矢視図である。
【図９】既設スレート葺き屋根に新設屋根を葺いた状態を示す一部斜視図である。
【図１０】図９におけるＸ−Ｘ線断面図である。
【図１１】図１０におけるＸＩの部分の拡大断面図である。
【図１２】図１０におけるＸＩＩ−ＸＩＩ線断面図である。
【図１３】（Ａ）は新設の取付金具を示す平面図、（Ｂ）は同じく新設の取付金具を示す右側面図、（Ｃ）は同じく新設の取付金具を示す正面図、（Ｄ）は同じく新設の取付金具を示す背面図、（Ｅ）は同じく新設の取付金具を示す底面図、（Ｆ）は同じく新設の取付金具を示す斜視図である。
【図１４】新設の取付金具の変形例を示す使用状態の一部断面図である。
【図１５】（Ａ）は同じく、変形例の新設の取付金具を示す正面図、（Ｂ）は（Ａ）におけるＢ−Ｂ線断面図である。
【図１６】同じく、変形例の新設の取付金具を取付金具装着装置により押し込む状態を示す説明図である。
【図１７】取付金具装着装置の水平板部の変形例を示す説明図である。
【符号の説明】
１  既設スレート葺き屋根
２  既設の母屋
３  既設のフックボルト
４  既設のナット
５  既設の座金
６  既設のパッキン材
７  既設のスレート板屋根材
８  第１取付金具（新設の取付金具）
９  第２取付金具（新設の取付金具）
１１  第１取付板部
１３  第２取付板部
１５  縦板部
１７  嵌合長溝
１８  新設の母屋
１９  新設の折板屋根材
２０  水平板部
２１  傾斜側板部
２２  山板部
２３  第１タッピンネジ
２４  第２タッピンネジ
２６  取付金具装着装置
２７  一方の固定板
２８  他方の固定板
２９  水平板部
３０  切欠
３１  連結棒
３２、３２  脚板
３３、３３  切欠
３４  スライド板
３５、３５  透孔
３６、３６  ガイド筒
３７  球受け部
３８  ネジ受け部
３９  スクリュー
４０  球部
４１  六角頭部
４２  工具
４３  新設の取付金具
４４  嵌合長溝
４５  面取り部
４６  水平板部
４７  水平板部
Ａ  水上から水下方向
Ｃ  ナットと座金との間の隙間
Ｈ  新設の取付金具の縦板部の高さ
【図１】
0003545747.tif 000002
【図２】
0003545747.tif 000003
【図３】
0003545747.tif 000004
【図４】
0003545747.tif 000005
【図５】
0003545747.tif 000006
【図６】
0003545747.tif 000007
【図７】
0003545747.tif 000008
【図８】
0003545747.tif 000009
【図９】
0003545747.tif 000010
【図１０】
0003545747.tif 000011
【図１１】
0003545747.tif 000012
【図１２】
0003545747.tif 000013
【図１３】
0003545747.tif 000014
【図１４】
0003545747.tif 000015
【図１５】
0003545747.tif 000016
【図１６】
0003545747.tif 000017
【図１７】
0003545747.tif 000018